(57)【要約】【課題】織幅変更時における緯糸張力付与装置の設置作業を容易化する。【解決手段】エアタンク２７と接続する開閉バルブ２８に接続された第１エア供給管２９の端部３０は、ロッキングシャフト２０に固定した取付けブロック２４の上面に、保護部材３１を介して留具３３及び螺子３５により固定されている。ストレッチノズル１１の下端に接続した第２エア供給管３９の端部４１は、コネクタ４２により第１エア供給管２９の端部３０に接続されている。第２エア供給管３９は、ストレッチノズル１１の接続位置から第１エア供給管２９の端部３０に接続する位置までの長さに、スレイ２の往復揺動に追従できる所定の弛みを加えた最適な長さに形成されている。緯糸張力付与装置１の設置作業は、ストレッチノズル１１の取付け位置の調整後、選択された最適長さの第２エア供給管３９の端部４１をコネクタ４２により第１エア供給管２９の端部３０に接続するのみで完了する。【選択図】図１
2014231649.tif 000002
【特許請求の範囲】
【請求項１】
フレームに支持されたロッキングシャフトの往復回転により揺動されるスレイに、緯糸案内通路を形成する変形筬及び緯入れ用の補助ノズルを設置し、前記スレイの前記補助ノズルよりも緯入れ方向下流側の位置に、前記緯糸案内通路に指向するストレッチノズルを緯入れ方向への移動可能に設置し、前記フレームの一部にエアタンクと接続する開閉バルブを設け、前記ストレッチノズルと前記開閉バルブとをエア供給管により接続したエアジェット織機における緯糸張力付与装置において、
前記エア供給管を、前記開閉バルブに接続する第１エア供給管と前記ストレッチノズルに接続する第２エア供給管とから構成し、前記第１エア供給管の端部を前記ロッキングシャフトに固定し、前記第２エア供給管の端部を前記第１エア供給管の端部とコネクタにより接続したことを特徴とするエアジェット織機における緯糸張力付与装置。
【請求項２】
前記第１エア供給管及び前記第２エア供給管は、フレキシブルな管で形成されていることを特徴とする請求項１に記載のエアジェット織機における緯糸張力付与装置。
【請求項３】
前記第１エア供給管の端部は、保護部材を介して留具により固定されていることを特徴とする請求項１又は請求項２に記載のエアジェット織機における緯糸張力付与装置。
【請求項４】
前記ストレッチノズルの取付け位置の変更に伴い異なる長さに変更された前記第２エア供給管に対応して、前記開閉バルブの開閉タイミングを変更することを特徴とする請求項１〜請求項３のいずれか１項に記載のエアジェット織機における緯糸張力付与装置。
【発明の詳細な説明】
【技術分野】
【０００１】
本願発明は、エアジェット織機において、緯入れされた緯糸の端部に張力を付与する緯糸張力付与装置に関する。
【背景技術】
【０００２】
例えば、特許文献１に開示されたジェットルームにおける緯糸張力付与装置は、スレイの前面に、緯入れ方向の取付け位置調整可能に締め付け固定されたストレッチノズルから構成されている。ストレッチノズルの噴射口は、緯入れ通路と直交する方向を指向し、ストレッチノズルからの噴射エアは緯入れ通路を横切る。変形筬の後側には、緯糸捕捉パイプが配設されている。緯糸捕捉パイプは、掛け止め部材を介して変形筬の上枠に掛け止め支持されている。
【０００３】
緯糸捕捉パイプは、変形筬の筬羽の列と交差する方向に開口する導入部と、屈曲部と、筬羽の列に平行に配置され、緯入れ方向下流側に開口する吹き流し部とからなる。緯糸捕捉パイプの導入部には、差し込み突起が止着されている。差し込み突起は変形筬の筬羽間に差し込まれ、筬羽間を拡開する。緯糸捕捉パイプの導入口は拡開された筬羽間に対向する。緯糸捕捉パイプは変形筬に対して緯入れ方向の任意の位置に取付け可能である。ストレッチノズルはエア供給管路を介して電磁三方弁の出力ポートに接続されている。電磁三方弁の入力ポートはエア供給管路を介して圧力エア源に接続されている。
【先行技術文献】
【特許文献】
【０００４】
【特許文献１】特開２０００−１７００５７号公報
【発明の概要】
【発明が解決しようとする課題】
【０００５】
特許文献１に記載されているように、織幅が変更されると、織幅に合わせてストレッチノズルの取付け位置が緯入れ方向に調整される。ストレッチノズルと電磁三方弁とを接続するエア供給管路は、特許文献１に図示されるように、通常、１つのエア供給管を使用しており、織幅変更時には、ストレッチノズルの取付け位置を調整するのみである。
【０００６】
従って、エア供給管路の長さは、最小織幅時の取付け位置に調整されたストレッチノズルと電磁三方弁とを接続するために必要な最適な長さに設定されている。このため、ストレッチノズルが取付け位置を最大織幅側に調整されると、エア供給管路は大きな弛みを生じてしまう。エア供給管路を弛ませたままジェットルームを運転すると、エア供給管路がスレイの揺動運動により大きく振られるとともにストレッチノズル及び電磁三方弁の接続部における屈折作用が繰り返される。
【０００７】
この結果、エア供給管路は、スレイを駆動するロッキングシャフトとの接触や接続部の屈折作用により損傷を生じ易くなる。このため、作業者は、ストレッチノズルの取付け位置を調整した後、エア供給管路の弛み部分を、ロッキングシャフトなどの製織作用の邪魔にならない場所に、縛り付けておくという煩雑な作業を行わなければならなかった。
【０００８】
本願発明は、織幅変更時における緯糸張力付与装置の設置作業を容易化することを目的とする。
【課題を解決するための手段】
【０００９】
請求項１は、フレームに支持されたロッキングシャフトの往復回転により揺動されるスレイに、緯糸案内通路を形成する変形筬及び緯入れ用の補助ノズルを設置し、前記スレイの前記補助ノズルよりも緯入れ方向下流側の位置に、前記緯糸案内通路に指向するストレッチノズルを緯入れ方向への移動可能に設置し、前記フレームの一部にエアタンクに接続する開閉バルブを設け、前記ストレッチノズルと前記開閉バルブとをエア供給管により接続したエアジェット織機における緯糸張力付与装置において、前記エア供給管を、前記開閉バルブに接続する第１エア供給管と前記ストレッチノズルに接続する第２エア供給管とから構成し、前記第１エア供給管の端部を前記ロッキングシャフトに固定し、前記第２エア供給管の端部を前記第１エア供給管の端部とコネクタにより接続したことを特徴とする。
【００１０】
請求項１によれば、織幅変更に伴い緯入れ方向に移動されたストレッチノズルに最も適した長さの第２エア供給管を容易に取付けることができる。従って、第２エア供給管の余分な弛みを補正するなどの特別な作業が不要となり、ストレッチノズルの設置作業を容易化することができる。また、ロッキングシャフトに固定された第１エア供給管は共用することができ、第２エア供給管の端部を第１エア供給管の端部にコネクタにより接続するのみであるため、ロッキングシャフトの上方から覗きながら作業することができ、設置作業がさらに容易である。また、例えば、織幅が大きい仕様においても、ストレッチノズルに接続する第２エア供給管は余分な弛みの無い適切な長さの管を使用することができるため、圧縮エアの圧損を最小にし、圧縮エアの消費量を減らすことができる。
【００１１】
請求項２は、前記第１エア供給管及び前記第２エア供給管は、フレキシブルな管で形成されていることを特徴とする。請求項２によれば、第１エア供給管及び第２エア供給管に柔軟性を持たせることができるため、ロッキングシャフトの往復回転運動及びスレイの往復揺動運動に安定して追従させることができ、第１エア供給管及び第２エア供給管の損傷を防止することができる。
【００１２】
請求項３は、前記第１エア供給管の端部は、保護部材を介して留具により固定されていることを特徴とする。請求項３によれば、留具により固定された第１エア供給管の固定箇所の損傷を防止することができる。
【００１３】
請求項４は、前記ストレッチノズルの取付け位置の変更に伴い異なる長さに変更された前記第２エア供給管に対応して、前記開閉バルブの開閉タイミングを変更することを特徴とする。緯糸張力付与装置において、最小織幅の時と最大織幅の時では、第２エア供給管の長さが異なるため、ストレッチノズルから噴射される圧縮エアの圧力波形が異なり、圧縮エアの噴射時の応答性に差が生じる。しかし、請求項４によれば、第２エア供給管の長さに合わせて開閉バルブの開閉タイミングを調整することができるため、異なる織幅においても同等の圧力波形を得ることができ、圧縮エアの噴射時の応答性を常に最良にすることができる。
【発明の効果】
【００１４】
本願発明は、織幅変更時における緯糸張力付与装置の設置作業を容易に行うことができる。
【図面の簡単な説明】
【００１５】
【図１】エアジェット織機における緯糸張力付与装置を示す斜視図である。
【図２】ストレッチノズルと緯糸捕捉パイプとの配置を示す拡大正面図である。
【図３】ロッキングシャフトの端部を示す背面図である。
【図４】最小織幅時の緯糸張力付与装置を示す正面図である。
【図５】最大織幅時の緯糸張力付与装置を示す正面図である。
【発明を実施するための形態】
【００１６】
本願発明の実施形態を図１〜図５に基づいて説明する。図１は、緯糸張力付与装置１が配設されたエアジェット織機の緯入れ方向下流側の一部を示している。スレイ２の支持溝３には、緯糸案内通路４を形成する変形筬５の下端が挿入され、長形の楔６により固定されている。変形筬５は列状に並べた多数の筬羽７からなり、筬羽７の上端が上枠８により保持されている。
【００１７】
変形筬５の前面側には、補助ノズル９、緯糸検出器１０及び緯糸張力付与装置１を構成するストレッチノズル１１がスレイ２に刻設された断面凸状の溝１２に移動可能に装着され、所定位置において固定されている。また、変形筬５の背面側には、緯糸張力付与装置１を構成する緯糸捕捉パイプ１３がスレイ２又は変形筬５に取付けられている。
【００１８】
図１及び図２に示すように、緯糸捕捉パイプ１３はＬ字型に屈曲されたパイプからなる。緯糸捕捉パイプ１３の短部１４は変形筬５に対してほぼ直角に配置されている。短部１４の先端部には、導入口１５が形成され、また、導入口１５の上下位置に突起１６が形成されている。突起１６は筬羽７の間に挿入されて筬羽７間を拡げ、導入口１５が緯糸案内通路４と連通し易くしている。また、ストレッチノズル１１は、噴射孔１７が導入口１５と対向するように、緯糸案内通路４に指向して設置されている。
【００１９】
一方、緯糸捕捉パイプ１３の長部１８は変形筬５とほぼ平行に配置され、長部１８の後端部には、導出口１９が緯入れ方向下流側に向けて開口されている。従って、ストレッチノズル１１の噴射孔１７から噴射される圧縮エアは、緯糸案内通路４を横切って導入口１５に吹き込まれ、緯糸捕捉パイプ１３内を短部１４側から長部１８側へほぼ直角に曲がりながら流れ、導出口１９から外部へ流出する。
【００２０】
スレイ２の下方には、ロッキングシャフト２０がエアジェット織機の左右のフレーム４３（図４、図５参照。なお、図では、右側フレームのみを示している。）間に架設され、フレーム４３により回転可能に支持されている。ロッキングシャフト２０は、カップリング２１により駆動軸（図示せず）と連結され、駆動軸により往復回転される。ロッキングシャフト２０には、上方に延びるアーム２２が数箇所に配置され（図１では、１箇所のみ示している）、ボルト２３により固定されている。アーム２２の上端には、スレイ２が支持され、図示しないボルト等の手段により固定されている。従って、スレイ２は、ロッキングシャフト２０の往復回転により、揺動される。また、ロッキングシャフト２０の端部には、取付けブロック２４がボルト２５により固定されている。
【００２１】
ロッキングシャフト２０の下方には、エアジェット織機の左右のフレーム４３間にステー２６が固定状態で架設されている。また、エアジェット織機の右側のフレーム４３には、ストレッチノズル１１用のエアタンク２７が設けられ、エアタンク２７には、開閉タイミングの調整を可能にした開閉バルブ２８が接続されている。なお、本実施形態では、開閉バルブ２８は、エアタンク２７に直接取付けられているが、エアタンク２７から分離してフレーム４３又はフレーム４３に固定されるブラケット（図示せず）に取付け、配管（図示せず）によりエアタンク２７と接続するように構成しても良い。
【００２２】
開閉バルブ２８には、フレキシブルな管で形成された第１エア供給管２９が接続されている。第１エア供給管２９の端部３０は、取付けブロック２４の上面において、チューブからなる保護部材３１を介して留具３３に保持され、留具３３が螺子３５によりロッキングシャフト２０と一体の取付けブロック２４に固定されている。留具３３により固定された端部３０よりも下方の第１エア供給管２９は、取付けブロック２４の背面（図３参照）において、保護部材３２を介して留具３４と螺子３６とにより固定され、振れ止めされている。また、開閉バルブ２８側に位置する第１エア供給管２９の一部は、ステー２６にチューブからなる保護部材３７を介して留具３８により固定され、ロッキングシャフト２０の往復回転に追従できるように、所定の弛みを持たせている。なお、保護部材３１、３２、３７は、留具３３、３４、３８による第１エア供給管２９の損傷を防止することができる。
【００２３】
ストレッチノズル１１の下端には、フレキシブルな管で形成された第２エア供給管３９がコネクタ４０により接続されている。第２エア供給管３９の端部４１は、コネクタ４２により第１エア供給管２９の端部３０に接続されている。第２エア供給管３９は、スレイ２に設置されたストレッチノズル１１の接続位置から第１エア供給管２９の端部３０に接続する位置までの長さに、スレイ２の往復揺動に追従できる所定の弛みを加えた最適な長さに形成されている。なお、本実施形態における緯糸張力付与装置１は、ストレッチノズル１１に圧縮エアを供給するための機構であるエアタンク２７、開閉バルブ２８、第１エア供給管２９、第２エア供給管３９及び各部のコネクタ４０、４１を含めた構成を指している。また、第１エア供給管２９及び第２エア供給管３９は、エアタンク２７の圧縮エアをストレッチノズル１１に供給するためのエア供給管である。
【００２４】
緯糸張力付与装置１の動作は、次の通りである。エアジェット織機の運転中、緯糸（図示せず）は緯入れノズル（図示せず）及び補助ノズル９によって緯糸案内通路４内に緯入れされる。緯入れされた緯糸が緯入れノズルと反対側に到達すると、開閉バルブ２８が開き、エアタンク２７内の圧縮エアは第１エア供給管２９及び第２エア供給管３９に供給され、ストレッチノズル１１の噴射孔１７から緯糸案内通路４と直角な方向に噴射される。
【００２５】
緯糸案内通路４内の緯糸は、圧縮エアによって緯糸捕捉パイプ１３の導入口１５内に吹き込まれ、緯糸捕捉パイプ１３の短部１４から長部１８に案内される。従って、緯糸は、圧縮空気によって、緯糸案内通路４から短部１４に向けて直角に屈曲され、さらに短部１４から長部１８に向けて直角に屈曲された状態に維持される。この状態で筬打ちされると、緯糸端が筬羽７、ストレッチノズル１１及び緯糸捕捉パイプ１３によって把持されているため、緯入れされた緯糸は全体に所定の張力を付与された状態で織成される。
【００２６】
図４は、最小織幅の時に設置された緯糸張力付与装置１を示している。第２エア供給管３９Ａは、最小織幅に合わせて調整され、設置されたストレッチノズル１１に最適な長さの管が選択され、ストレッチノズル１１の下端と第１エア供給管２９の端部３０にそれぞれコネクタ４０及びコネクタ４２により接続されている。第２エア供給管３９Ａはスレイ２の往復揺動に追従できる程度の所定の弛みを有しているが、大きく振られることが無く、他の部材との接触による損傷を受けることが無い。また、第１エア供給管２９はエアジェット織機の初期の組み付け時に装着された状態を変更する必要が無い。このため、第２エア供給管３９Ａは、ロッキングシャフト２０の端部の上方位置で第１エア供給管２９とコネクタ４２で接続すれば良く、緯糸張力付与装置１の設置作業が容易である。
【００２７】
図５は、最大織幅の時に設置された緯糸張力付与装置１を示している。最大織幅の仕様では、ストレッチノズル１１はフレーム４３に近づいた位置に設置され、ストレッチノズル１１の下端から第１エア供給管２９の端部３０までの距離が短い。このため、第２エア供給管３９Ｂは、最小織幅時に使用された第２エア供給管３９Ａ（図４参照）よりも短い最適な長さの管を使用する。
【００２８】
最大織幅時においても、第１エア供給管２９はエアジェット織機の初期の組み付け時に装着された状態を変更する必要が無い。このため、緯糸張力付与装置１の設置作業は、ストレッチノズル１１の取付け位置を調整した後、第２エア供給管３９Ｂをストレッチノズル１１の下端にコネクタ４０により接続し、第２エア供給管３９Ｂの端部４１を第１エア供給管２９の端部３０にコネクタ４２により接続すれば完了する。従って、織幅変更に伴う緯糸張力付与装置１の設置作業は、簡単に行うことができる。
【００２９】
なお、最大織幅時の第２エア供給管３９Ｂの長さは、最小織幅時の第２エア供給管３９Ａよりも短いので、供給される圧縮エアの圧損が第２エア供給管３９Ａに比べて小さく、ストレッチノズル１１から噴射される圧縮エアの圧力波形に差が生じる不具合がある。このため、第２エア供給管３９Ａ、第２エア供給管３９Ｂの長さに対応して開閉バルブの開閉タイミングを調整し、圧損の差を開閉タイミングに差をつけることにより解消し、織幅変更に関わり無く、圧力波形を同等にすることができる。
【００３０】
以上のように、本実施形態では、織幅変更時における緯糸張力付与装置１の調整は、ストレッチノズル１１の取付け位置の調整後、最適な長さの第２エア供給管３９を選択し、第１エア供給管２９と第２エア供給管３９とをコネクタ４２により接続するのみで済む。このため、第１エア供給管２９と第２エア供給管３９との接続作業は、第１エア供給管２９の端部３０が固定されているロッキングシャフト２０の上方から覗きながら行うことができ、作業が極めて容易となる。また、織幅が大きくなるほど、短い第２エア供給管３９を使用することができるので、圧縮エアの圧損が小さくなり、エネルギー消費の減少にも貢献することができる。
【００３１】
本願発明は、前記した実施形態の構成に限定されるものではなく、本願発明の趣旨の範囲内で種々の変更が可能であり、次のように実施することができる。
【００３２】
（１）第１エア供給管２９及び第２エア供給管３９は、フレキシブルな管と剛性のある管との組合せにより形成しても良い。
（２）緯糸張力付与装置１は、緯糸捕捉パイプ１３を必ずしも必要としない。この場合、緯糸は、ストレッチノズル１１から噴射される圧縮エアによって筬羽７に押し付けられて把持されるか、又は、拡げられた筬羽７の間を通して変形筬５の背面側に吹き流されることにより把持され、張力を付与される。
（３）保護部材３１、３２、３７は、チューブに限らず、平面的な覆い部材等の他の部材を使用しても構わない。
【符号の説明】
【００３３】
１  緯糸張力付与装置
１１  ストレッチノズル
１３  緯糸捕捉パイプ
１５  導入口
１６  突起
２０  ロッキングシャフト
２４  取付けブロック
２６  ステー
２７  エアタンク
２８  開閉バルブ
２９  第１エア供給管
３０  端部
３１、３２、３７  保護部材
３３、３４、３８  留具
３９、３９Ａ、３９Ｂ  第２エア供給管
４０、４２  コネクタ
４１  端部
【図１】
2014231649.tif 000003
【図２】
2014231649.tif 000004
【図３】
2014231649.tif 000005
【図４】
2014231649.tif 000006
【図５】
2014231649.tif 000007